(57)【特許請求の範囲】
【請求項１】
転写材から被転写材に転写層を熱転写させて１つの印画物を形成する過程で昇華転写加熱部と溶融転写加熱部を通過させ、各加熱部において転写層を熱転写する転写方法において、昇華転写加熱部において転写材に面順次で形成されたＹ、Ｍ、Ｃ、Ｋ色材層、オーバーコート層を順次被転写材に転写し、溶融転写加熱部で、前記オーバーコート層上から、ホログラム形成層、金属蒸着層、隠蔽層の少なくとも１つの層を転写することを特徴とする複数の加熱部を有する熱転写方法。
【請求項２】
加熱により転写するホログラム形成層が、基材／離型層／ホログラム形成層／熱融着層、または基材／離型層／ホログラム形成層／金属蒸着層／熱融着層の順に積層されていることを特徴とする請求項１記載の熱転写方法。
【請求項３】
加熱により転写する金属蒸着層が、基材／離型層／金属蒸着層／熱融着層の順に積層されていることを特徴とする請求項１記載の熱転写方法。
【請求項４】
加熱により転写する隠蔽層が、基材／離型層／隠蔽層の順に積層されていることを特徴とする請求項１記載の熱転写方法。
【発明の詳細な説明】
【０００１】
【発明の属する技術分野】
本発明は複数の加熱部を有する熱転写方法に関する。
【０００２】
【従来の技術及び発明が解決しようとする課題】
従来、写真等の中間調を高精細に表現できる印画装置として昇華転写プリンタが知られており、各人が自由に証明写真を撮影するシステムや、撮影した画像をモニタ画面上に映しだし、画面上で操作して画像上にサインやいろいろな文字や図形等の落書きをして印画するようなシステムも普及している。しかし、昇華転写プリンタは、中間調は高精細に表現できるものの、サインや落書きのようにコントラストの強い２値画像の表現は十分ではないため、サイン等を描いた画像の印画には必ずしも適していない。
一方、文字のような２値画像を鮮明に印字できる装置として溶融転写プリンタが知られており、カード上の文字の印字等に使用されている。しかし、溶融転写プリンタは中間調表現には適さず、そのためサイン等を描いた画像の印画には適していない。
このように従来の熱転写プリンタでは異なる特性の画像がその特性が損なわれないように１つの印画物に印画するのは困難であった。
【０００３】
【課題を解決するための手段】
本発明は上記課題を解決するためのもので、異なる特性の画像が、それぞれ特性が損なわれないように１つの印画物に印画できるにようにすることを目的とする。
図１は複数の加熱部を有する本発明の熱転写システムを示す概念図である。
本システムでは、複数のサーマルヘッドＨＩ〜Ｈｎが設けられており、１つの印画物を形成するために、各サーマルヘッドＨＩ〜Ｈｎの部位を通過させ、各サーマルヘッドで転写材１を加熱して、被転写材２上に転写層を順次転写して画像を形成する。各サーマルヘッドの転写材２は、それぞれ異なる転写層を有していて、転写する画像に応じてそれぞれに適したサーマルヘッドが駆動される。したがって、最初に被転写材に転写するサーマルヘッドは印画する画像に応じて決まり、あらかじめ決まっておらず任意である。なお、通常は、最初に被転写材に転写する部位では、例えば、昇華転写方式により、Ｙ、Ｍ、Ｃ、Ｋの色材層を有する熱転写シートを用いて中間調の画像を転写し、この画像上に手書きのサインなどを印字する場合は、透明樹脂層からなるオーバーコート層を転写し、その上に他の部位で溶融転写方式により転写を行う。
【０００４】
【発明の実施の形態】
以下、本発明の実施の形態を図面を参照しつつ説明する。
次に、昇華転写方式と溶融転写方式の２ヘッドタイプによる熱転写の例について以下に説明する。
図２は昇華転写方式と溶融転写方式の２ヘッドタイプの熱転写システムの例を説明する図である。この例では、サーマルヘッドＨ１で昇華転写方式による転写、サーマルヘッドＨ２で溶融転写方式による転写を行う。昇華転写における転写材１は、例えば、図３に示すように、基材フィルム１１の被転写材２と接する側の面に、Ｙ、Ｍ、Ｃ、Ｋ色材層、オーバーコート層を転写するための透明樹脂層１２が面順次で形成されている。そして、顔写真等を転写する場合には、Ｙ、Ｍ、Ｃ、Ｋ色材層を順次転写して高精細にカラー画像を転写し、その後オーバーコート層として透明樹脂層を転写する。
【０００５】
図４は溶融転写部位の転写材を説明する図である。
溶融転写における転写材３は、基材フィルム３１の被転写材２と接する側の面に、Ｋ色材層と透明樹脂層３１が面順次で形成されている。そして、昇華転写部位で転写された画像に対して透明樹脂層上から手書きサイン等の文字を高コントラストで転写する。なお、図示の例ではモノカラー（この例ではブラック）の熱転写の例について述べたが、マルチカラーの熱転写シートを用いてもよい。また、必要な場合にはオーバーコート層として透明樹脂層を転写する。
なお、加熱により転写する色材層としては、昇華染料、蛍光染料、顔料、または、これらの組み合わせを含むようにしてもよく、その場合、昇華染料、蛍光染料が非転写性バインダー層中に含まれるようにしてもよい。
【０００６】
図５は溶融転写部位において画像上にホログラムを転写する例を説明する図である。転写材３の基材フィルム３１の被転写材２と接する側の面に予め作製したホログラム形成層３３を積層しておく。このような転写材を用いることにより、例えば、昇華転写部位で転写された顔写真の一部に装飾用等のホログラムが転写される。なお、ホログラム形成層を転写する場合、図６に示すように、基材フィルム３１上に離型層３４を介してホログラム形成層３３を積層し、さらにこの上に熱融着層３５を積層する。このような層構成とすることにより、転写時にホログラム形成層は離型層３４で剥がれ、容易に表面が露出するとともに、熱融着層３５により被転写材上に融着される。なお、ホログラム形成層と熱融着層との間に金属蒸着層を積層して、手書き文字等を転写するようにしてもよい。
【０００７】
図７は溶融転写部位において金属蒸着層を転写する例を説明する図である。
転写材３の基材フィルム３１の被転写材２と接する側の面に金属蒸着層を積層しておく。金属蒸着層３６は手書き文字等を転写するのに使用され、昇華転写部位で転写された顔写真上にサインしたり、いろいろな落書きをするなどに使用される。なお、この場合にも、図８に示すように、基材フィルム３１上に離型層３４を介して金属蒸着層３６を積層し、その上に熱融着層３５を積層することにより、転写時に金属蒸着層は離型層３４により容易に表面が露出するとともに、熱融着層３５により被転写材上に融着される。
図９は溶融転写部位において隠蔽層を転写する例を説明する図である。
転写材３の基材フィルム３１の被転写材２と接する側の面に隠蔽層を積層しておく。隠蔽層はその下層部分を隠すためのものであり、スクラッチ性をもたせることにより、尖ったもので引っ掻いてサイン等を記すことが可能である。この場合も、基材フィルム３１上に離型層３４を介して隠蔽層を積層する。
【０００８】
なお、上記において、特に最上層にコートされる透明樹脂層は転写時の加熱により転写後表面を粗面化できる熱可塑性樹脂であることが好ましい。このような樹脂で表面をマット化することにより、表面での反射によるまぶしさを抑えるつや消し効果が得られる。また、サーマルヘッドＨ１にて転写する透明樹脂層の表面状態を変えることにより、その上に転写される溶融転写層の定着性をコントロールすることが可能である。また、図１０に示すように、加熱部が接する側の基材フィルム面上に耐熱滑性層を設けることにより、熱転写をスムーズに行うことができる。
【０００９】
【発明の効果】
以上のように本発明によれば、異なる特性の画像が、それぞれ特性が損なわれずに１つの印画物として印画でき、従来の熱転写プリンタでは得られない多様な利用を図ることが可能となる。
【図面の簡単な説明】
【図１】  複数の加熱部を有する熱転写システムを説明する概念図である。
【図２】  昇華転写方式と溶融転写方式の２ヘッドタイプを示す図である。
【図３】  熱転写シートを説明する図である。
【図４】  熱転写シートを説明する図である。
【図５】  溶融転写部位でホログラムを転写する例を説明する図である。
【図６】  転写材の層構成の例を説明する図である。
【図７】  転写材の層構成の他の例を説明する図である。
【図８】  転写材の層構成の他の例を説明する図である。
【図９】  転写材の層構成の他の例を説明する図である。
【図１０】  転写材の層構成の他の例を説明する図である。
【符号の説明】
ＨＩ〜Ｈｎ…サーマルヘッド、１…転写材、２…被転写材。
【図１】
0004001360.tif 000002
【図２】
0004001360.tif 000003
【図３】
0004001360.tif 000004
【図４】
0004001360.tif 000005
【図５】
0004001360.tif 000006
【図６】
0004001360.tif 000007
【図７】
0004001360.tif 000008
【図８】
0004001360.tif 000009
【図９】
0004001360.tif 000010
【図１０】
0004001360.tif 000011